(57)【特許請求の範囲】
【請求項１】
躯体スラブと、この躯体スラブ上に支持脚を介して設置される床材とを備えた乾式二重床構造において、
前記躯体スラブの上面又は前記床材の下面に、これら躯体スラブ及び床材間に形成される空気層の厚みを不均一として該空気層をばねとする共振現象を抑えるための、表面形状が凹凸面となっている緩衝体を設置し、
前記緩衝体は少なくとも高さ寸法が異なる多数の緩衝ブロックからなり、これらの緩衝ブロックが配置されることにより、前記凹凸面が形成されていることを特徴とする乾式二重床構造。
【請求項２】
前記床材の下面に前記緩衝体を設置する場合、前記緩衝体及び前記床材の各単位面積当たりの質量が、前記床材よりも前記緩衝体の方が十分大きく設定されていることを特徴とする請求項１記載の乾式二重床構造。
【発明の詳細な説明】
【技術分野】
【０００１】
この発明は、乾式二重床構造に関し、さらに詳細には、躯体スラブから床材の表面に振動が伝搬する際に生じる振動の増幅、併せて重量床衝撃音の増幅を抑えて、居住性能の向上を図った乾式二重床構造に関する。
【背景技術】
【０００２】
コンクリート系住宅の床仕上げ構造の１つとして、乾式二重床が知られている。この乾式二重床は、躯体スラブと床材との間の空間に配管することができ、またいわゆるバリアフリーに対応し易いので、近年急速に普及している。
【０００３】
しかし、この乾式二重床は、上階での子供の飛び跳ねや走り周りなどにより下階で発生する重量床衝撃音を、コンクリート躯体スラブ素面のときよりも増幅することが広く知られている。この重量床衝撃音の増幅を抑えるために、躯体スラブと床材との間の空間に吸音材を設置する等の種々の対策がなされている（例えば、特許文献１参照）。
【０００４】
ところで、この発明の発明者らは、乾式二重床は、その躯体スラブ素面から床材表面に振動を伝搬するときにも振動を増幅させる周波数域を持つことを実験により確かめた（図３参照）。図３において、縦軸で示される振動加速度レベル差（dB）は、躯体スラブでの発生振動の振動加速度レベルから床材表面での発生振動の振動加速度レベルを差し引いた値である。したがって、振動加速度レベル差が正のときは振動が低減され、逆に振動加速度レベル差が負のときは増幅されていることになり、図３によれば低周波数域で増幅現象が生じていることが分かる。
【０００５】
振動の増幅は、すなわち、固体音の増幅を意味し、居住性能の悪化を招くが、このような現象に着目し、その低減を目的とした技術は未だ提案されていない。
【特許文献１】特開２０００−１７９１３４
【発明の開示】
【発明が解決しようとする課題】
【０００６】
この発明は上記のような技術的背景に基づいてなされたものであって、次の目的を達成するものである。
この発明の目的は、躯体スラブから床材の表面に振動が伝搬する際に生じる振動の増幅を抑えることにより、固体音の低減を図り、併せて、従来より問題とされている重量床衝撃音の増幅を抑えることにより、その低減を図ることができる乾式二重床構造を提供することにある。
【課題を解決するための手段】
【０００７】
躯体スラブから床材の表面へ振動が伝搬するときに低周波数域で生じる振動の増幅現象、また、重量床衝撃音の増幅現象は、乾式二重床において躯体スラブと床材との間に形成される空気層をばねとする共振現象に因るところが大きい。この発明の発明者らは、このような共振現象を抑えるべく、鋭意研究を重ねたところ、躯体スラブの上面又は床材の下面に、表面形状が凹凸面となるように緩衝体を設置することが有効であることを見出した。
【０００８】
この発明は上記のような知見に基づいてなされたものであり、躯体スラブと、この躯体スラブ上に支持脚を介して設置される床材とを備えた乾式二重床構造において、
前記躯体スラブの上面又は前記床材の下面に、表面形状が凹凸面となっている緩衝体を設置したことを特徴とする乾式二重床構造にある。
【０００９】
例えば、前記緩衝体を大きさが異なる多数の緩衝ブロックで構成し、これらの緩衝ブロックを配置することにより、前記凹凸面を形成することができる。ここに、大きさが異なるとは、少なくとも緩衝ブロックの高さ寸法が異なることを意味し、さらに断面積が異なるようにしても良い。前記床材の下面に前記緩衝体を設置する場合、前記緩衝体及び前記床材の各単位面積当たりの質量が、前記床材よりも前記緩衝体の方が十分大きく設定すると良い。
【発明の効果】
【００１０】
この発明によれば、躯体スラブの上面又は床材の下面に設置される緩衝体は、表面形状が凹凸面となっている。この結果、躯体スラブと床材との間に形成される空気層は厚みが不均一となり、空気層をばねとする共振現象が発生するのを抑えることができる。これにより、躯体スラブから床材の表面に振動が伝搬する際に生じる振動の増幅、及び重量床衝撃音の増幅を抑えることができ、居住性能の向上を図ることができる。
【発明を実施するための最良の形態】
【００１１】
図１は、この発明の実施形態を示す断面図である。乾式二重床は、コンクリート製の躯体スラブ１と、その上に複数の支持脚５を介して設置される床材２とを備え、その結果、躯体スラブ１と床材との間には空気層６が形成される。床材２は、一般に、表面に配置される木質フローリング等の床仕上げ材３と、裏面に配置されるパーティクルボード等の木質面材４とで構成されている。
【００１２】
この発明によれば、躯体スラブ１の上面に緩衝体７が設置されている。緩衝体７は、この実施形態では、大きさ（この実施形態では高さ及び断面積）が異なる多数の緩衝ブロック８で構成されている。そして、これらの緩衝ブロック８はランダムに躯体スラブ１上に設置されている。その結果、緩衝体７全体としてみると、その表面には不均一な凹凸面が形成されることになる。
【００１３】
このような凹凸面が形成されることにより、空気層６の厚みが不均一となり、空気層６をばねとする共振現象が発生するのが抑制される。これにより、躯体スラブ１から床仕上げ材３の表面に振動が伝搬する際に生じる振動の増幅、及び重量床衝撃音の増幅を抑えることができる。
【００１４】
緩衝ブロック８は、例えば発泡スチロールを使用することができ、接着等の適宜手段により躯体スラブ１に定置される。緩衝ブロック８の形状は、円錐や円柱、あるいは角錐や角柱等の種々の形状を採ることができ、単一の形状のものとしてもよいし、複数種類の形状のものが混在するようにしてもよい。なお、緩衝ブロック８は、接着等により固定せずに、躯体スラブ１上に単に置くだけでもよい。
【００１５】
緩衝体７すなわち多数の緩衝ブロック８は、躯体スラブ１上に設置するに限らず、図２に示すように、床材２の下面、より具体的には木質面材４の下面に設置するようにしてもよい。この場合、緩衝体７及び床材２の各単位面積当たりの質量が、床材２よりも緩衝体７の方が十分大きく設定すると、緩衝体７の質量が床材２の質量に付加され、いわゆる質量効果として作用し、床材２の振動を抑制するのにより効果的である。このような質量関係は、例えば緩衝体７の内部に砂や金属等を充填することにより得ることができる。
【００１６】
上記２つの実施形態では、緩衝ブロック８が躯体スラブ１の上面及び床材２の下面のいずれか一方にのみ接している態様が採られているが、緩衝ブロック８を躯体スラブ１の上面及び床材２の下面の双方に接するように設置してもよい。また、緩衝ブロック８からなる緩衝体７は、躯体スラブ１（又は床材２）の全面に亘って設置してもよいし、あるいは部分的に設置してもよく、この発明は双方の設置態様を含む概念である。
【図面の簡単な説明】
【００１７】
【図１】この発明の実施形態を示す断面図である。
【図２】別の実施形態を示す断面図である。
【図３】躯体スラブから床材の表面へ振動が伝搬するときの特性を示す図である。
【符号の説明】
【００１８】
１      躯体スラブ
２      床材
３      床仕上げ材
４      木質面材
５      支持脚
６      空気層
７      緩衝体
８      緩衝ブロック
【図１】
0004634754.tif 000002
【図２】
0004634754.tif 000003
【図３】
0004634754.tif 000004